(57)【要約】      （修正有）【課題】天板が脚支柱により高さ位置調節可能に支持されている昇降テーブルにおいて、種々の構成を有する昇降テーブルの間で、脚支柱の共有化を実現する方法を提供する。【解決手段】昇降テーブルＴ１、Ｔ２に、天板１Ａ、１Ｂと、前記天板１Ａ、１Ｂを高さ位置調節可能に支持する複数の脚支柱２Ａ、２Ｂと、前記脚支柱２Ａ、２Ｂをそれぞれ受入れ保持する複数の脚保持部材４Ａ、４Ｂと、これら脚保持部材４Ａ、４Ｂ同士を連結するフレーム５とを具備させる構成を採用する。【選択図】図１
2020000493.tif 000002
【特許請求の範囲】
【請求項１】
天板と、前記天板を高さ位置調節可能に支持する複数の脚支柱と、前記脚支柱をそれぞれ受入れ保持する複数の脚保持部材と、これら脚保持部材同士を連結するフレームとを具備してなる昇降テーブル。
【請求項２】
前記フレームが、前記脚保持部材同士を下端以外の部位において連結するものである請求項１記載の昇降テーブル。
【請求項３】
前記脚保持部材が、上方に開放された中空部を備えたものであり、
前記脚支柱が、下端側をその中空部に嵌入させて前記脚保持部材に保持されたものである請求項１又は２記載の昇降テーブル。
【請求項４】
前記脚支柱が下端に取付部を備えたものであるとともに、前記脚保持部材が前記脚支柱を受止める底壁体を備えたものであり、その底壁体と前記脚支柱の取付部とを止着具を用いて止着している請求項１、２又は３記載の昇降テーブル。
【請求項５】
前記脚保持部材が、前記脚支柱を包持する有底筒状のもので、その底部に、前記脚支柱の取付部を止着するための上底板とアジャスタが取り付けられる下底板とを有する二重底壁構造をなす前記底壁体を備えている請求項４記載の昇降テーブル。
【請求項６】
前記フレームが、オプション品を取付けるためのオプション取付部を備えたものである請求項１、２、３、４又は５記載の昇降テーブル。
【請求項７】
前の天板と後の天板とを具備し、前の天板の左右両端部を前の脚支柱によりそれぞれ支持するとともに、後の天板の左右両端部を後の脚支柱によりそれぞれ支持してなるものであって、
前記前の脚支柱を保持する前の脚保持部材と、前記後の脚支柱を保持する後の脚保持部材と、これら前、後の脚保持部材を相互に連結するフレームとを備えた側端構造体を左右に具備してなり、左の側端構造体のフレームと右の側端構造体のフレームとを前記オプション品である配線ダクトにより連結している請求項６記載の昇降テーブル。
【請求項８】
前記配線ダクトの両端付近に位置させてオプション品であるデスクトップパネルの取付台が配されており、前記配線ダクトの端部と前記取付台とが、前記フレームに設けられたオプション取付部に共通の止着具を用いて共締め固定されている請求項７記載の昇降テーブル。
【発明の詳細な説明】
【技術分野】
【０００１】
本発明は、オフィス等において好適に用いられる昇降テーブルに関する。
【背景技術】
【０００２】
天板が脚支柱により高さ位置調節可能に支持されている昇降テーブルには、左右の脚支柱により支持された天板を１枚のみ有するもの（シングルタイプ）や、それぞれ左右の脚支柱により支持された前後２枚の天板を有するもの（デュアルタイプ）等が存在する。
【０００３】
シングルタイプの昇降テーブルでは、前後方向に延伸するベースの長手方向中央部から１本の脚支柱を起立させて設け、この脚支柱の上端に天板を接続する態様が知られている。一方、デュアルタイプの昇降テーブルでは、左右対をなす前の脚支柱により前の天板を、左右対をなす後の脚支柱により後の天板をそれぞれ支持させ、左側に位置する前後の脚支柱同士及び右側に位置する前後の脚支柱同士をそれぞれ直接フレームにより連結する態様が知られている（例えば、非特許文献１を参照）。
【０００４】
これらの態様の昇降テーブルの間で部品を共通化するにあたって、特に脚支柱においては、昇降テーブルの種類に応じてシングルタイプとデュアルタイプとで異なるものを用意する必要がある。すなわち、従来の構成の種々の昇降テーブルの間で部品の共有化を推進することは困難であるという課題が存在する。このような課題は、天板の枚数が異なる昇降テーブルのみならず、天板の枚数が同一であっても天板の奥行き寸法が異なる等、互いに異なる構成を有する昇降テーブル同士の間であっても同様に存在する。
【先行技術文献】
【非特許文献】
【０００５】
【非特許文献１】VITRA INTERNATIONAL AG.、“Vitra｜CDS”、[online]、平成30年、VITRA INTERNATIONAL AG.、［平成30年6月20日検索］、インターネット<URL: https://www.vitra.com/ja-jp/product/cds>
【発明の概要】
【発明が解決しようとする課題】
【０００６】
本発明は、種々の構成を有する昇降テーブルの間で、脚支柱の共有化を容易に実現するためのものである。
【課題を解決するための手段】
【０００７】
請求項１記載の発明に係る昇降テーブルは、天板と、前記天板を高さ位置調節可能に支持する複数の脚支柱と、前記脚支柱をそれぞれ受入れ保持する複数の脚保持部材と、これら脚保持部材同士を下端以外の部位において連結するフレームとを具備してなるものである。
【０００８】
本発明において、「受入れ保持」とは、脚支柱の全周を完全に囲繞して支持する態様に限らず、脚支柱の一部を添接状態で支持する態様も含まれる概念である。
【０００９】
請求項２記載の発明に係る昇降テーブルは、請求項１記載の構成のものにおいて、前記フレームが、前記脚保持部材同士を下端以外の部位において連結するものである。
【００１０】
請求項３記載の発明に係る昇降テーブルは、請求項１又は２記載の構成のものにおいて、前記脚保持部材が、上方に開放された中空部を備えたものであり、前記脚支柱が、下端側をその中空部に嵌入させて前記脚保持部材に保持されたものである。
【００１１】
請求項４記載の発明に係る昇降テーブルは、請求項１、２又は３記載の構成のものにおいて、前記脚支柱が下端に取付部を備えたものであるとともに、前記脚保持部材が前記脚支柱を受止める底壁体を備えたものであり、その底壁体と前記脚支柱の取付部とを止着具を用いて止着しているものである。
【００１２】
請求項５記載の発明に係る昇降テーブルは、請求項４記載の構成のものにおいて、前記脚保持部材が、前記脚支柱を包持する有底筒状のもので、その底部に、前記脚支柱の取付部を止着するための上底板とアジャスタが取り付けられる下底板とを有する二重底壁構造をなす前記底壁体を備えているものである。
【００１３】
請求項６記載の発明に係る昇降テーブルは、請求項１、２、３、４又は５記載の構成のものにおいて、前記フレームが、オプション品を取付けるためのオプション取付部を備えたものである。
【００１４】
請求項７記載の発明に係る昇降テーブルは、請求項６記載の構成のものにおいて、前の天板と後の天板とを具備し、前の天板の左右両端部を前の脚支柱によりそれぞれ支持するとともに、後の天板の左右両端部を後の脚支柱によりそれぞれ支持してなるものであって、
前記前の脚支柱を保持する前の脚保持部材と、前記後の脚支柱を保持する後の脚保持部材と、これら前、後の脚保持部材を相互に連結するフレームとを備えた側端構造体を左右に具備してなり、左の側端構造体のフレームと右の側端構造体のフレームとを前記オプション品である配線ダクトにより連結しているものである。
【００１５】
請求項８記載の発明に係る昇降テーブルは、請求項７記載の構成のものにおいて、前記配線ダクトの両端付近に位置させてオプション品であるデスクトップパネルの取付台が配されており、前記配線ダクトの端部と前記取付台とが、前記フレームに設けられたオプション取付部に共通の止着具を用いて共締め固定されているものである。
【発明の効果】
【００１６】
本発明によれば、種々の構成を有する昇降テーブルの間で、脚支柱の共有化を容易に実現することができる。
【図面の簡単な説明】
【００１７】
【図１】本発明の一実施形態に係るテーブルシステム全体を示す斜視図。
【図２】同実施形態に係るテーブルシステム全体を示す正面図。
【図３】同実施形態に係るテーブルシステム全体を示す左側面図。
【図４】同実施形態に係るテーブルシステム全体を示す右側面図。
【図５】同実施形態に係るテーブルシステム全体を示す平面図。
【図６】同実施形態に係るテーブルシステムを一部省略して示す拡大斜視図。
【図７】図６におけるＰ部の拡大図。
【図８】図６におけるＱ部の拡大図。
【図９】同実施形態に係る昇降テーブル同士を離間させた状態の斜視図。
【図１０】同実施形態に係る配線ダクト及び取付台を接続する手順の説明図。
【図１１】同実施形態に係る左の側端構造体の正面図。
【図１２】同実施形態に係る左の側端構造体の左側面図。
【図１３】同実施形態に係る左の側端構造体の右側面図。
【図１４】図１２におけるＡ−Ａ線に沿った拡大断面図。
【図１５】図１２におけるＢ−Ｂ線に沿った拡大断面図。
【図１６】図１２におけるＣ−Ｃ線に沿った拡大断面図。
【図１７】同実施形態に係る昇降テーブルの分解斜視図。
【図１８】同実施形態に係る側端構造体から脚支柱を抜き取った状態の斜視図。
【図１９】図１８におけるＲ部の拡大図。
【図２０】図１８におけるＳ部の拡大図。
【発明を実施するための形態】
【００１８】
本発明の一実施形態を、図面を参照しつつ以下に述べる。
【００１９】
本実施形態は、オフィス等で使用される昇降テーブルＴ１、Ｔ２に本発明を適用したものである。ここで、図１〜図６では、第１の昇降テーブルＴ１と第２の昇降テーブルＴ２とを側端同士を衝き合わせた状態で横並びに配置した例を示している。
＜第１の昇降テーブルＴ１＞
第１の昇降テーブルＴ１は、図１〜図５に示すように、天板１Ａ、１Ｂと、前記天板１Ａ、１Ｂを高さ位置調節可能に支持する複数の脚支柱２Ａ、２Ｂと、前記脚支柱２Ａ、２Ｂをそれぞれ受入れ保持する複数の脚保持部材４Ａ、４Ｂと、これら脚保持部材４Ａ、４Ｂ同士を下端以外の部位において連結するフレーム５とを具備してなる。ここで、前記フレーム５は、脚支柱２Ａ、２Ｂ同士を前記脚保持部材４Ａ、４Ｂを介して間接的に連結するもので、平面視において前記天板１Ａ、１Ｂの側端縁１ａよりも外側方に突出している。さらに、前記フレーム５は、オプション品を取付けるためのオプション取付部５ａを備えている。
【００２０】
詳述すれば、この昇降テーブルＴ１は、前の天板１Ａと後の天板１Ｂとを具備し、前の天板１Ａの左右両端部を前の脚支柱２Ａによりそれぞれ支持するとともに、後の天板１Ｂの左右両端部を後の脚支柱２Ｂによりそれぞれ支持してなるものであって、前記前の脚支柱２Ａを保持する前の脚保持部材４Ａと、前記後の脚支柱２Ｂを保持する後の脚保持部材４Ｂと、これら前、後の脚保持部材４Ａ、４Ｂを相互に連結するフレーム５とを備えた側端構造体３を左右に具備している、デュアルタイプのものである。そして、左の側端構造体３のフレーム５と右の側端構造体３のフレーム５とをオプション品である配線ダクト６により連結している。
【００２１】
前、後の脚支柱２Ａ、２Ｂは同一の構成を有している。これら前、後の脚支柱２Ａ、２Ｂを区別することなく総称する場合は、「脚支柱２」と称する。各脚支柱２は、図１７に示すように、下段ハウジング１１と、中段ハウジング１３と、上段ハウジング１５とをテレスコープ状に組み合わせ、内部の図示しない電動アクチュエータにより、それらのハウジング１１、１３、１５を伸縮動作させるように構成されたもの（例えば商品名「電動昇降装置」、リナック株式会社製）で、図１８及び図１９に示すように、その下端２ｘに取付部２ｙを備えている。この取付部２ｙは、複数箇所に雌ねじ孔を設けたものである。脚支柱２の構成は、通常のものであるため、詳細な説明は省略する。なお、符号１７は、内部の電動アクチュエータに電力を供給するための電力線である。
【００２２】
前、後の脚保持部材４Ａ、４Ｂも、同一の構成を有している。これら前、後の脚保持部材４Ａ、４Ｂを区別することなく総称する場合は、「脚保持部材４」と称する。各脚保持部材４は、図１６に示すように、上方に開放された中空部４ｓを備え、前記脚支柱２を包持する有底筒状のものである。この中空部４ｓには、脚支柱２の下端２ｘ側が嵌入され、その状態で脚支柱２が脚保持部材４に保持される。換言すれば、この実施形態の脚保持部材４の中空部４ｓは、脚支柱２の下段ハウジング１１全体を包持しうる深さ寸法を有するものである。この脚保持部材４は、図１４〜図１７に示すように、前記中空部４ｓの内周を形成する保持部材本体１９と、この保持部材本体１９の内側面側を覆う内側カバー２１と、保持部材本体１９の外側面側を覆う外側カバー２３とを具備してなるもので、内側カバー２１と外側カバー２３の端部は、前記保持部材本体１９の外周面上で衝き合うように設定されている。すなわち、外側カバー２３と内側カバー２１とは保持部材本体１９の外周面に案内されて面一に連続するように構成されている。換言すれば、外側カバー２３の厚み寸法は、内側カバー２１の厚み寸法と同一に設定されており、外側カバー２３の両端を内側カバー２１の端面に衝き合わせることにより外側カバー２３の外面が内側カバー２１の外面に面一に連続するようになっている。なお、保持部材本体１９の外側面側には、複数の窓が形成されている。また、外側カバー２３は内側カバー２１よりもフレーム５の高さ寸法分だけ短寸に形成されており、保持部材本体１９の上端部が外部に露出するようになっている。そして、図１４に示すように、この露出部にフレーム５が剛結されている。さらに、この脚保持部材４は、図１４〜図１６、図１８及び図２０に示すように、底部に二重底壁構造をなし脚支柱２を受止める底壁体２５を備えている。この底壁体２５は、上底板２７と、この上底板２７の下方に内部空間を介して対面配置された下底板２９と備えた箱状のもので、前記上底板２７の対向する２辺から一体に垂下させた垂下板３１の下端を前記下底板２９の対向する２辺に溶接等により剛結するとともに、前記下底板２９の他方の対向する２辺から一体に立ち上げた起立板３３の上端を前記上底板２７の下面に溶接等により剛結してなる。上底板２７には、前述した脚支柱２における取付部２ｙに対応する複数の孔２７ａが貫設されており、これらの孔２７ａに挿通させた止着具たるネジｖの雄ネジ部を取付部２ｙの雌ネジ孔に螺着することによって、脚支柱２の下端２ｘを底壁体２５の上底板２７に固定することができるようになっている。下底板２９の前記各孔２７ａに対応する部位には、ネジｖ全体を通過させることが可能な複数のネジ通過窓２９ａが穿設されているとともに、その中央部には、アジャスタ３５を螺着するためのナット３７が設けられている。そして、上底板２７の対向する２辺が保持部材本体１９の下端部に溶接等により剛結されている。なお、脚保持部材４の外側カバー２３及び内側カバー２１の下端部は、底壁体２５を隠すべく保持部材本体１９の下端よりも下方に延出させてある。
【００２３】
フレーム５は、前後に隣接する脚保持部材４Ａ、４Ｂ間に横架されたもので、図１３、図１４及び図１６〜図１８に示すように、脚保持部材４Ａ、４Ｂ同士を剛結するフレーム本体３７と、このフレーム本体３７の外側面を覆うバンパー部材３９とを備えたものである。このフレーム５は、平面視において天板１Ａ、１Ｂの側端縁よりも外側方に一定の突出距離ｄ１、例えば２５ｍｍ程度だけ突出している。また、このフレーム５は、オプション品を取付けるためのオプション取付部５ａを備えている。
【００２４】
詳述すれば、フレーム本体３７は、図１６及び図１７に示すように、起立板３７ａの上縁から上板３７ｂを、下縁から下板３７ｃをそれぞれ同一方向に延出させたチャネル状のもので、このフレーム本体３７の起立板３７ａの両端を対応する脚保持部材４Ａ、４Ｂの保持部材本体１９の上端に設けられた露出部に溶接あるいはビス止め等により剛結している。このフレーム本体３７の起立板３７ａにおける中央付近には、オプション取付部５ａを構成する対をなすナット４１が設けられている。
【００２５】
バンパー部材３９は、図１６及び図１７に示すように、両端部を脚保持部材４Ａ、４Ｂ側に湾曲させた板状のもので、フレーム本体３７よりも大きな上下幅寸法を有している。バンパー部材３９の厚み寸法は、脚保持部材４Ａ、４Ｂの内側カバー２１の厚み寸法と同一に設定されており、バンパー部材３９の両端を内側カバー２１の端面に衝き合わせることにより当該バンパー部材３９の外面が脚保持部材４Ａ、４Ｂの外面に面一に連続するようになっている。
【００２６】
以上説明した側端構造体３は、門形をなして左右に対をなすように配置されており、右の側端構造体３と左の側端構造体３とは対称形態をなしている。そして、前述したように、左右の側端構造体３は、配線ダクト６により相互に連結されている。詳述すれば、配線ダクト６は、板金素材に折り曲げ加工を施すことにより一体に形成されたもので、図１０及び図１７に示すように、底板４３と、この底板４３の両側縁から斜め外側上方に延出された下側板４５と、これら下側板４５の上縁から外方に延出させた水平板４７と、これら水平板４７の延出端からそれぞれ斜め外側上方に延出させた上側板４９とを備えている。各上側板４９の両端には、内側に屈曲して延びる取付突起５１が一体に設けられており、これら各取付突起５１には、止着具たるネジｖを挿通させるためのネジ挿通孔５１ａが設けられている。これらのネジ挿通孔５１ａは、前記フレーム５のオプション取付部５ａを構成するナット４１に対応させた位置に設けられている。
【００２７】
前記配線ダクト６の両端付近には、図１、図５、図６、図９、図１０及び図１７に示すように、オプション品であるデスクトップパネル７の取付台８が配されており、前記配線ダクト６の端部と前記取付台８とが、前記フレーム５に設けられたオプション取付部５ａを構成するナット４１に共通の止着具であるネジｖを用いて共締め固定されている。詳述すれば、図１０に示すように、取付台８は、デスクトップパネル７の形態に応じて設計された取付台本体５３と、この取付台本体５３の両側に突設した取付突起５５とを有する。これら各取付突起５５には、止着具たるネジｖを挿通させるためのネジ挿通孔５５ａが設けられている。これらのネジ挿通孔５５ａは、前記フレーム５のオプション取付部５ａを構成するナット４１に対応させた位置に設けられている。そして、配線ダクト６の取付突起５１に設けられたネジ挿通孔５１ａと取付台８の取付突起５５に設けられたネジ挿通孔５５ａとに挿通させた共通のネジを対応するフレーム５のナット４１に螺合させて緊締することにより配線ダクト６の端部と取付台８とがフレーム５の取付部５ａに共締め固定されるようになっている。
【００２８】
なお、９は、前記配線ダクト６に着脱可能に装着されたダクトカバーである。ダクトカバー９は、図１７に示すように、カバー本体９ａの両側縁に鉛直壁９ｂを一体に設けた断面コ字型のもので、鉛直壁９ｂを下方に向けてうつ伏せ姿勢で配線ダクト６に装着したり、鉛直壁９ｂを上方に向けて仰向け姿勢で配線ダクト６に装着したりすることができるようになっている。この実施形態においては、第１の昇降テーブルＴ１のダクトカバー９はうつ伏せ姿勢で配線ダクト６に装着してある。また、この実施形態における第１の昇降テーブルＴ１の取付台８に取り付けられるデスクトップパネル７は、例えば、図１〜図５に示すように、パイプフレーム５７と、このパイプフレーム５７に着脱可能に装着される遮蔽ボード５９とを備えたものである。取付台８は、図９、図１０及び図１７に示すように、パイプフレーム５７の両端を保持する保持孔８ａを備えている。
【００２９】
このようにして立設された複数本の脚支柱２Ａ、２Ｂにより、天板１Ａ、１Ｂを高さ位置変更可能に支持している。具体的には、前の天板１Ａの左右両端部を左右対をなす前の脚支柱２Ａによりそれぞれ支持するとともに、後の天板１Ｂの左右両端部を左右対をなす後の脚支柱２Ｂによりそれぞれ支持している。
【００３０】
詳述すれば、図６、図９、図１０及び図１７に示すように、各脚支柱２Ａ、２Ｂの上端には天板１Ａ、１Ｂの下面を受ける天板受け６１と、これら天板受け６１から水平方向に延設されたアーム６３とが固設されており、左右に隣接する脚支柱２Ａ、２Ｂのアーム６３同士を天板支持フレーム６５により連結している。天板１Ａ、１Ｂは、これら天板受け６１及び天板支持フレーム６５に図示しないネジ等の止着具を用いて止着されている。天板１Ａ、１Ｂの下面には、図１〜図４に示すように、網状をなす配線受け６７が設けられている。この配線受け６７は、脚支柱２Ａ、２Ｂの上端から導出された電力線１７に接続される電力系のコード類や、後の天板１Ｂ上のコンセント６９に接続された通信系あるいは電力系のコード類を案内するためのものである。
【００３１】
この実施形態においては、図５に示すように、前の天板１Ａと後の天板１Ｂとの間にデスクトップパネル７を配置するのに十分な隙間ｄ０、例えば９０ｍｍ程度の隙間が形成されており、前の天板１Ａと後の天板１Ｂとをそれぞれ独立して下限位置（Ｄ）から上限位置（Ｕ）までの間で高さ位置を無段階に変更することができるようになっている。下限位置（Ｄ）は、椅子に着座した状態で天板１Ａ、１Ｂを使用するのに最適な高さ位置に設定されている。上限位置（Ｕ）は、起立した状態で天板１Ａ、１Ｂを使用するのに最適な高さ位置に設定されている。
＜第２の昇降テーブルＴ２＞
第２の昇降テーブルＴ２は、前述した第１の昇降テーブルＴ１と基本的には同一の構造をなすものであり、同一の部分には同一の符号を付して説明を省略する。
【００３２】
図示例における第２の昇降テーブルＴ２が第１の昇降テーブルＴ１と異なっている点は、配線ダクト６上にダクトカバー９を仰向け姿勢で配置している点、オプション品であるデスクトップパネル７’が剛性を有したボード状のものである点、後の天板１Ｂに装着されているコンセント７１が電力系の端子のみならず通信系の端子をも有したものである点、配線受け６７と配線ダクト６との間に天板１Ａ、１Ｂの昇降に伴ってコード類に無理な力が作用したりコード類の形態が乱れたりするのを緩和するためのコードホルダ７３を設けている点である。
＜第１、第２の昇降テーブルＴ２の組み合わせ＞
図１〜図６では、第１の昇降テーブルＴ１と第２の昇降テーブルＴ２とをフレーム５同士を当接させた状態で左右方向に配置したテーブルシステムＴＳを示している。
【００３３】
このテーブルシステムＴＳは、第１の昇降テーブルＴ１のフレーム５におけるバンパー部材３９と第２の昇降テーブルＴ２のフレーム５におけるバンパー部材３９とを当接させており、第１の昇降テーブルＴ１の天板１Ａ、１Ｂと第２の昇降テーブルＴ２の天板１Ａ、１Ｂとの間には、天板１Ａ、１Ｂの昇降動作を阻害するのを防止するためのクリアランスが形成されている。このクリアランスは、各昇降テーブルＴ１、Ｔ２における前述したフレーム５の天板１Ａ、１Ｂの側縁１ａからの突出距離ｄ１の２倍（例えば５０ｍｍ程度）である。このクリアランスの存在により、第１の昇降テーブルＴ１の天板１Ａ、１Ｂと第２の昇降テーブルＴ２の天板１Ａ、１Ｂとが干渉することなく独立して昇降動作を行うことができるようになっている。
【００３４】
また、このテーブルシステムは、第１の昇降テーブルＴ１の脚保持部材４Ａ、４Ｂと第２の昇降テーブルＴ２の脚保持部材４Ａ、４Ｂとの間の隙間を利用して竪型の配線ダクト１０を設けている。この配線ダクト１０は、上下端が解放され両脚保持部材４Ａ、４Ｂに沿って配されたダクト本体１０ａと、前記脚保持部材４Ａ、４Ｂ間に配設されダクト本体１０ａ内の空間を塞ぐ蓋体１０ｂとを備えたものである。この配線ダクト６は、床から立ち上げたコード類を前述した側端構造体３間の配線ダクト６等に導くためのものである。
【００３５】
以上説明した実施形態において、図１はテーブルシステムＴＳ全体を示す斜視図、図２は同正面図、図３は同右側面図、図４は同左側面図、図５は同平面図である。図６は第１の昇降テーブルＴ１の天板１Ａ、１Ｂを省略した斜視図であり、第２の昇降テーブルＴ２の一部は図示を省略してある。また、第１の昇降テーブルＴ１の脚保持部材４Ａ、４Ｂの下端部を一部破断して内部を視認可能にしており、その破断部分（Ｐ部）を図７において拡大して示している。さらに、図６においては、第１及び第２の昇降テーブルＴ２の隣接する脚保持部材４Ａ、４Ｂの中間部を切除し、その切除部分（Ｑ部）を図８において拡大して示している。なお、図８においては、脚支柱２Ａ、２Ｂの内部は図示を省略しており、その省略部分にパターンを施してある。図９は、第１の昇降テーブルＴ１と第２の昇降テーブルＴ２とを離間させて図示したものであり、各昇降テーブルＴ１、Ｔ２は天板１Ａ、１Ｂ、デスクトップパネル７、配線受け６７等は省略しており、対をなす側端構造体３と、これら側端構造体３同士を連結する配線ダクト６と、脚支柱２Ａ、２Ｂと、天板１Ａ、１Ｂ受けと、アーム６３とが図示されている。図１０は、第１の昇降テーブルＴ１の左の側端構造体３の内面に配線ダクト６及び取付台８を接続する手順を説明する為のものであり、右の側端構造体３等は図示を省略してある。図１１は左の側端構造体３の正面図、図１２は同左側面図、図１３は同右側面図である。図１４は図１２におけるＡ−Ａ線に沿った拡大断面図であり、図１５は図１２におけるＢ−Ｂ線に沿った拡大断面図であり、図１６は図１２におけるＣ−Ｃ線に沿った拡大断面図である。図１７は、第１の昇降テーブルＴ１の側端構造体３の脚保持部材４Ａ、４Ｂ及びフレーム５を分解して示す斜視図である。図１８は、側端構造体３から脚支柱２Ａ、２Ｂを抜き取った状態を斜め下側から観察した斜視図である。図１９は、図１８における脚支柱２Ａ、２Ｂの下端近傍部（Ｒ部）の拡大図である。図２０は、脚保持部材４Ａ、４Ｂの下端近傍部（Ｓ部）の拡大図である。
【００３６】
以上説明したような第１、第２の昇降テーブルＴ１、Ｔ２であれば、脚保持部材４Ａ、４Ｂを特定の脚支柱２Ａ、２Ｂに合致した形態にしておきさえすれば、脚保持部材４Ａ、４Ｂ同士の連結形態を変えるだけで、脚支柱２Ａ、２Ｂの種類を変更したり特定の脚支柱２Ａ、２Ｂに新たな取付部を追加したりすることなしに、多様な天板支持形態を実現することができる。そのため、共通の脚支柱２Ａ、２Ｂを用いて種々の仕様の昇降テーブルＴ１、Ｔ２を実現することができる。すなわち、この実施形態における脚支柱２は、例えば下端２ｘにのみ取付部を有し、ベース上に立設してシングルタイプの昇降テーブルＴ１、Ｔ２を構成する場合に使用されるものであるが、かかる脚支柱２を脚保持部材４に保持させることにより本実施形態のようなデュアルタイプの昇降テーブルＴ１、Ｔ２にもそのまま用いることができる。さらに、取付部を利用してその脚支柱２を保持する脚保持部材４にフレーム５を取り付けるための種々の取付態様を採用することができるので、脚支柱２には一切の加工を施すことなく複数の脚支柱２の配置態様を実現することもできる。
【００３７】
また、脚保持部材４同士を自由な高さ位置に配置したフレーム５により連結することができるので、前述したように右の側端構造体３のフレーム５と左の側端構造体３のフレーム５とを配線ダクト６により連結することも可能となり、構造の簡略化を図ることができる。
【００３８】
さらに、このような構成によれば、前、後の脚支柱２Ａ、２Ｂの下端２ｘ間を連結する部材をなくすことができるので、床面の清掃等を円滑に行うことも可能になる。
【００３９】
なお、本発明は以上に述べた実施形態に限らない。
【００４０】
例えば、天板は１枚でも複数枚でもよい。天板が１枚である場合は、天板の左右両端部をそれぞれ１本の脚支柱により支持させるシングルタイプのものだけでなく、例えば、前後両端にそれぞれ着座可能な大きな奥行き寸法を有する天板の左右両端部をそれぞれ前後２本の脚支柱で支持し前後の脚支柱を同期させて昇降させる変形シングルタイプのものであってもよい。また、前述した実施形態のようにデュアルタイプの昇降テーブルであっても、フレームの長手寸法を変更することにより、奥行き寸法の異なる天板に対応させることができる。すなわち本発明によれば、これらいずれのタイプのものであっても、すべて共通の脚支柱を用いることが可能となる。
【００４１】
脚保持部材は、上述した実施形態におけるもののような筒状のものに限らず、脚支柱を部分的に包持するようなものであってもよい。具体的には、底壁と脚支柱の一部に添接する側壁のみからなるものであってもよい。但し、上述した実施形態におけるもののように、脚保持部材が上方に解放された中空部を備え、脚支柱の下端側をこの中空部に嵌入させて脚保持部材に保持させる構成のものであれば、脚保持部材があたかも脚支柱の一部であるかのような形態を実現できるので、脚保持部材を設けたために外観が複雑化することを防止又は抑制することができる。
【００４２】
また、上述した実施形態では前記脚支柱が下端に固有の取付部を備えたものであるものを説明したが、脚支柱の下端以外の部位に固有の取付部を備えたものであってもよい。すなわち、下端に固有の取付部を有する場合には、前記脚保持部材を前記脚支柱を受止める底壁体を備えたものにし、その底壁体と前記脚支柱の取付部とを止着具を用いて止着すればよいが、脚支柱の他の部位に固有の取付部が設けられている場合には、脚保持部材の前記取付部に対応する部位と前記取付部とを止着具を用いて止着できるようにしておけばよい。
【００４３】
脚保持部材は、前記脚支柱を包持する有底筒状のものに限られないのはもちろんである。但し、前述した実施形態のように、脚保持部材を有底筒状のものにした場合でも、その底部に、脚支柱の取付部を止着するための上底板とアジャスタが取り付けられる下底板とを有する二重底壁構造をなす底壁体を設けておけば、脚支柱との接続とアジャスタの装着構造とを両立させることができる。
【００４４】
フレームと脚保持部材との連結はビス止めに限らず、溶接等であってもよいが、本発明では、フレームを脚支柱ではなく脚保持部材に連結するようにしているので、ビス止めであると、溶接であるとを問わず、その連結構造部分が脚支柱に悪影響を及ぼすことが一切ない。
【００４５】
さらに、フレームは、オプション品を取付けるためのオプション取付部を有しないものであってもよいが、前述した実施形態のように、脚保持部材の上端部にフレームに架設しておき、このフレームにオプション取付部を設けておけば、そのオプション取付部に配線ダクトやデスクトップパネルの取付台等を容易に取り付けることが可能になる。
【００４６】
また、複数の脚保持部材同士をフレームにより接続するものであれば、接続箇所は脚保持部材のどこに設定してもよい。但し、フレームにより脚保持部材同士を下端以外の部位において連結すれば、脚保持部材の下端同士をフレームにより連結する態様と比較して、前後の脚保持部材をフレームにより連結してなる側端構造体の強度を高めることができ、ひいては昇降テーブルの強度を高めることができるとともに、このフレームに取り付けるオプション品であるデスクトップパネルの高さを抑えることができ、コストダウンを図ることもできる。加えて、上述した実施形態のように、フレームにより前の脚保持部材の上端部と後の脚保持部材の上端部とを連結してなる門形の側端構造体を左右一組構成すれば、左の側端構造体のフレームと右の側端構造体のフレームとを直接配線ダクトにより連結することが可能となり、部品点数を最小限に抑えることができる。
【００４７】
その上、オプション品としてはどのようなものを取り付けてもよく、またオプション品の取付態様も任意である。但し、上述した実施形態のように、フレームに設けられたオプション取付部に配線ダクトの端部とデスクトップパネルの取付台とを共通の止着具を用いて共締め固定すれば、配線ダクトを取り付けるためのオプション取付部及びデスクトップパネルの取付台を取り付けるためのオプション取付部を別々に設ける態様と比較して部品点数及び加工の手間を削減できる。
【００４８】
そして、３台以上の昇降テーブルを横並び配置してなるテーブルシステムに本発明を適用してもよく、１台の昇降テーブルのみを単独で使用してもよい。
【００４９】
加えて、フレームの外側面は天板の側端面と面一であってもよく、フレームの外側面が天板の側端面よりも内方に位置していてもよい。
【００５０】
その他、本発明の趣旨を損ねない範囲で種々変形してよい。
【符号の説明】
【００５１】
Ｔ１、Ｔ２…昇降テーブル
１Ａ、１Ｂ…天板
２（２Ａ、２Ｂ）…脚支柱
２ｘ…脚支柱の下端
２ｙ…取付部
３…側端構造体
４（４Ａ、４Ｂ）…脚保持部材
４ｓ…中空部
５…フレーム
５ａ…オプション取付部
６…配線ダクト（オプション品）
７、７’…デスクトップパネル
８…取付台
２５…底壁体
２７…上底板
２９…下底板
【図１】
2020000493.tif 000003
【図２】
2020000493.tif 000004
【図３】
2020000493.tif 000005
【図４】
2020000493.tif 000006
【図５】
2020000493.tif 000007
【図６】
2020000493.tif 000008
【図７】
2020000493.tif 000009
【図８】
2020000493.tif 000010
【図９】
2020000493.tif 000011
【図１０】
2020000493.tif 000012
【図１１】
2020000493.tif 000013
【図１２】
2020000493.tif 000014
【図１３】
2020000493.tif 000015
【図１４】
2020000493.tif 000016
【図１５】
2020000493.tif 000017
【図１６】
2020000493.tif 000018
【図１７】
2020000493.tif 000019
【図１８】
2020000493.tif 000020
【図１９】
2020000493.tif 000021
【図２０】
2020000493.tif 000022